(57)【要約】【課題】湾曲部と先端部本体との固定強度が強い一方で、湾曲部から先端部本体を分解する際に破損が防止される細径の内視鏡を提供する。【解決手段】湾曲部２０と、湾曲部２０の先端部に接続されている先端部本体３６と、を有する内視鏡。湾曲部２０は互いに回動可能に接続されている複数の湾曲コマを有し、これら湾曲コマは先端部本体３６に接続されている最先端の第１の湾曲コマ４４ａを有する。この第１の湾曲コマ４４ａは先端部本体３６の外周面に延出されている延出部５０を有し、延出部５０は外周面に溶接により固定されている。また、延出部５０の端面と先端部本体３６の外周面との間の少なくとも一部分には、延出部５０と先端部本体３６の外周面との間に治具を差し込むための差込部６４が形成されている。【選択図】図６
2006122327.tif 000002
【特許請求の範囲】
【請求項１】
湾曲操作される湾曲部と、
前記湾曲部の先端部に接続されている先端部本体と、を具備し、
前記湾曲部は、互いに回動可能に接続されている複数の湾曲コマを有し、
前記複数の湾曲コマは、前記先端部本体に接続されている最先端の第１の湾曲コマを有し、
前記第１の湾曲コマは、前記先端部本体の外周面に延出されている延出部を有し、
前記延出部は、前記外周面に溶接により固定されており、
前記延出部の端面と前記先端部本体の外周面との間の少なくとも一部分には、前記延出部と前記先端部本体の外周面との間に治具を差し込むための差込部が形成されている、
ことを特徴とする内視鏡。
【請求項２】
前記先端部本体の外周面には、凹部が形成されており、
前記延出部の端面の少なくとも一部分は、前記凹部の外側に配置され、前記凹部との間に前記差込部を形成している、
ことを特徴とする請求項１の内視鏡。
【請求項３】
前記延出部は、前記湾曲部の基端側から先端側へと前記延出部の先端部まで延びている複数のスリットと、前記複数のスリット間に形成されている舌延部とを有し、
前記舌延部の端面と前記先端部本体の外周面との間の少なくとも一部分に、前記差込部が形成されている、
ことを特徴とする請求項１又は２の内視鏡。
【請求項４】
前記溶接は、スポット溶接を含む、
ことを特徴とする請求項１乃至３のいずれか１の内視鏡。
【発明の詳細な説明】
【技術分野】
【０００１】
本発明は、湾曲操作される湾曲部の先端部に先端部本体を接続している内視鏡に関する。
【背景技術】
【０００２】
従来、体腔内を観察するのに内視鏡が用いられている。内視鏡は体腔内に挿入される細長い挿入部を有し、この挿入部は湾曲操作される湾曲部を有する。この湾曲部は、挿入部の基端部に連設されている操作部によって遠隔操作されるようになっている。挿入部を体腔内に挿入し、手元側の操作部によって湾曲部を湾曲操作して内視鏡の先端部の向きを変えることにより、様々な角度で体腔内を観察したり、内視鏡の挿入方向を変化させたりすることが可能である。
【０００３】
湾曲部は、通常、ほぼ円筒形の湾曲コマを互いに回動可能に軸方向に順次連結することにより形成されている。最先端の湾曲コマである第１の湾曲コマには、先端部本体が固定されている。第１の湾曲コマと先端部本体との固定には、例えば、接着、ビス止めが用いられる。その他の固定方法が、特許文献１に開示されている。
【０００４】
特許文献１の内視鏡では、第１の湾曲コマの先端部に連結管を連設している。この連結管の内周面の先端部には凸部が周方向の全体に渡って延設されており、先端部本体の外周面には凸部に対応する溝部が周方向の全体に渡って延設されている。先端部本体の後端側を連結管内に嵌入し、先端部本体の溝部に連結管の凸部を係合することにより、先端部本体と連結管とが軸方向に固定されている。さらに、先端部本体の後端部は、連結管を超えて第１の湾曲コマ内に嵌入されている。先端部本体の外周面の後端部には、先端部本体の後端から軸方向に凹部が延設されている。これら凹部には、第１の湾曲コマの内周面の先端部に形成されている回転止め部分が嵌入されている。このようにして、第１の湾曲コマに対する先端部本体の軸回り方向の回転が規制されている。
【特許文献１】実公平２−６１３０２号公報
【発明の開示】
【発明が解決しようとする課題】
【０００５】
特許文献１の内視鏡では、先端部本体を第１の湾曲コマに係合及び嵌合させることにより固定しているため、固定強度が弱くなっている。また、先端部本体と第１の湾曲コマとを固定するために、連結管を第１の湾曲コマに外装しており、挿入部の外径が太くなっている。
【０００６】
ところで、内視鏡の内蔵物が故障した場合には、湾曲部から先端部本体を分解して内蔵物の交換等の修理を行う。修理の後に湾曲部及び先端部本体を再び利用するためには、湾曲部から先端部本体を分解する際に、湾曲部又は先端部本体が破損されるのを防止する必要がある。しかしながら、特許文献１の内視鏡では、破損を防止するような工夫がなされておらず、分解時に連結管等が破損されるおそれがある。
【０００７】
本発明は、上記課題に着目してなされたもので、その目的とするところは、湾曲部と先端部本体との固定強度が強い一方で、湾曲部から先端部本体を分解する際に破損が防止される細径の内視鏡を提供することである。
【課題を解決するための手段】
【０００８】
請求項１の発明は、湾曲操作される湾曲部と、前記湾曲部の先端部に接続されている先端部本体と、を具備し、前記湾曲部は、互いに回動可能に接続されている複数の湾曲コマを有し、前記複数の湾曲コマは、前記先端部本体に接続されている最先端の第１の湾曲コマを有し、前記第１の湾曲コマは、前記先端部本体の外周面に延出されている延出部を有し、前記延出部は、前記外周面に溶接により固定されており、前記延出部の端面と前記先端部本体の外周面との間の少なくとも一部分には、前記延出部と前記先端部本体の外周面との間に治具を差込むための差込部が形成されている、ことを特徴とする内視鏡である。
【０００９】
そして、本請求項１の発明では、第１の湾曲コマの延出部を先端部本体の外周面に溶接して湾曲部に先端部本体を固定しており、湾曲部から先端部本体を分離する際には、差込部から延出部と先端部本体の外周面との間に治具を差込んで溶接部を破壊する。
【００１０】
請求項２の発明は、前記先端部本体の外周面には、凹部が形成されており、前記延出部の端面の少なくとも一部分は、前記凹部の外側に配置され、前記凹部との間に前記差込部を形成している、ことを特徴とする請求項１の内視鏡である。
【００１１】
そして、本請求項２の発明では、延出部の端面と先端部本体の凹部との間の差込部に治具を差し込んで溶接部を破壊して、湾曲部から先端部本体を分離する。
【００１２】
請求項３の発明は、前記延出部は、前記湾曲部の基端側から先端側へと前記延出部の先端部まで延びている複数のスリットと、前記複数のスリット間に形成されている舌延部とを有し、前記舌延部の端面と前記先端部本体の外周面との間の少なくとも一部分に、前記差込部が形成されている、ことを特徴とする請求項１又は２の内視鏡である。
【００１３】
そして、本請求項３の発明では、舌延部の端面と先端部本体の外周面との間の差込部に治具を差し込んで、各舌延部の溶接部を順次破壊して湾曲部から先端部本体を分離する。
【００１４】
請求項４の発明は、前記溶接は、スポット溶接を含む、ことを特徴とする請求項１乃至３のいずれか１の内視鏡である。
【００１５】
そして、本請求項４の発明では、スポット溶接により延出部を先端部本体の外周面に固定する。
【発明の効果】
【００１６】
本発明によれば、細径の内視鏡において、湾曲部と先端部本体との固定強度が強い一方で、湾曲部から先端部本体を分解する際に破損が防止される。
【発明を実施するための最良の形態】
【００１７】
以下、本発明の第１実施形態を図１乃至図６を参照して説明する。図１は、本発明の第１実施形態の内視鏡１４の全体の概略構成を示す。この内視鏡１４は、体腔内に挿入される細長い挿入部１６を有する。この挿入部１６は、先端硬性部１８、湾曲部２０、軟性部２２を先端側から順次連結することにより形成されている。挿入部１６の基端部には、操作者に把持操作される操作部２４が配設されている。この操作部２４には、生体組織を生検するための鉗子を挿入したり、体液等を吸引したりするためのチャンネル口２６が配設されている。また、操作部２４には、湾曲部２０を湾曲操作するための湾曲レバー２８が配設されている。
【００１８】
さらに、操作部２４からユニバーサルコード３０が延出されている。このユニバーサルコード３０には、撮像された観察画像の画像信号を伝送する伝送ケーブル、照明光を導光するためのライトガイド等が挿通されている。伝送ケーブルはユニバーサルコード３０の延出端部に配設されている電気コネクター３２に接続されており、この電気コネクター３２はビデオプロセッサー等に接続される。また、ライトガイドは電気コネクター３２に並設されている光コネクター３４に接続されており、この光コネクター３４は光源装置に接続される。
【００１９】
以下、湾曲部２０及び先端硬性部１８の構成を詳細に説明する。図２に示されるように、先端硬性部１８は、ほぼ円筒状の先端部本体３６によって形成されている。本実施形態では、先端部本体３６は金属により形成されている。この先端部本体３６の先端面には、円板状の絶縁部材３８が接着によって組み付けられている。本実施形態では、絶縁部材３８はプラスチックによって形成されている。
【００２０】
先端部本体３６の内部には、観察画像を撮像するための撮像ユニット４０が組み付けられており、この撮像ユニット４０から図示しない伝送ケーブルが延出されている。また、先端部本体３６の内部には、鉗子を挿通したり、体液等を吸引したりするためのチャンネル４２の先端部が組み付けられている。さらに、図示しないが、先端部本体３６の内部には、観察対象を照明するための照明光学系が組みつけられており、この照明光学系からライトガイドが延出されている。これら伝送ケーブル、チャンネル４２及びライトガイドは、挿入部１６を挿通され操作部２４（図１参照）に導入されている。さらに、伝送ケーブル及びライトガイドはユニバーサルコード３０（図１参照）に導入されており、チャンネル４２はチャンネル口２６（図１参照）に連通されている。
【００２１】
湾曲部２０は、ほぼ円筒形の湾曲コマ４４を互いに回動可能に軸方向に順次連結することにより形成されている。即ち、湾曲コマ４４の前後端面の夫々において、湾曲コマ４４の中心軸に対称な位置に夫々舌片部４６が突設されている。前後に並設されている湾曲コマ４４について、前方の湾曲コマ４４の後端面の舌片部４６と後方の湾曲コマ４４の前端面の舌片部４６とは、互いに重ね合わされてリベット４８によって組み付けられている。ここで、最先端の湾曲コマ４４を第１の湾曲コマ４４ａと称する。第１の湾曲コマ４４ａには、第１の湾曲コマ４４ａを牽引して湾曲部２０を湾曲させるための図示しない牽引ワイヤーの先端部が接続されている。これら牽引ワイヤーは湾曲部２０を挿通されて操作部２４（図１参照）に導入され、湾曲レバー２８（図１参照）に連結されている。
【００２２】
図３に示されるように、第１の湾曲コマ４４ａの先端側には、薄肉の円筒形状である延出部５０が形成されている。この延出部５０は、以下に詳細に述べるように、先端部本体３６の外周面に延出されて先端部本体３６に固定されている。また、湾曲部２０及び先端硬性部１８の外周面には外皮５２が被覆されており、この外皮５２は例えばフッ素ゴムによって形成されている。また、外皮５２の先端部は糸５４によって先端硬性部１８に緊縛されており、この糸５４は接着材によって固められている。
【００２３】
以下、湾曲部２０と先端部本体３６との固定、分解方法について説明する。図４に示されるように、第１の湾曲コマ４４ａの延出部５０の先端部には、先端面から第１の湾曲コマ４４ａの軸方向に複数のスリット５６が形成されている。これらスリット５６は互いにほぼ同形であり、周方向にほぼ等間隔で並設されている。これらスリット５６間には、後端側から先端側へと延びている互いにほぼ同形の複数の舌延部５８が形成されていることとなる。これら舌延部５８の１つには、第１のねじ穴６０ａが貫通されている。ここで、この第１のねじ穴６０ａの中心位置と舌延部５８の先端部との間の軸方向の距離をＤ１とする。
【００２４】
図５に示されるように、先端部本体３６の外周面には、凹部としての溝部６２が周方向の全体に渡って延設されている。この溝部６２よりも先端側を先端部本体３６の先端側３６ａと称し、後端側を先端部本体３６の後端部３６ｂと称する。この後端部３６ｂに第２のねじ穴６０ｂが形成されている。ここで、この第２のねじ穴６０ｂの中心位置と溝部６２の先端側面との間の軸方向の距離をＤ２とし、第２のねじ穴６０ｂの中心位置と溝部６２の後端側面との間の軸方向の距離をＤ３とする。
【００２５】
図６を参照し、第１のねじ穴６０ａは第２のねじ穴６０ｂとほぼ同径となっている。そして、第１のねじ穴６０ａと舌延部５８の先端部との間の距離Ｄ１は、第２のねじ穴６０ｂと溝部６２の先端側面との間の距離Ｄ２よりも小さく、第２のねじ穴６０ｂと溝部６２の後端側面との間の距離Ｄ３よりも大きくなっている（Ｄ２＜Ｄ１＜Ｄ３）。
【００２６】
以下、図６を参照し、湾曲部２０と先端部本体３６との固定方法を説明する。湾曲部２０を先端部本体３６に固定する際には、先端部本体３６の溝部６２に例えばシリコーンゴム系の軟性の接着剤を充填する。そして、先端部本体３６の後端側を第１の湾曲コマ４４ａの延出部５０内に嵌入し、先端部本体３６を延出部５０に対して軸方向に摺動又は軸回り方向に回転させ、先端部本体３６の第２のねじ穴６０ｂを延出部５０の第１のねじ穴６０ａにアラインメントする。なお、先端部本体３６を延出部５０内に嵌入する際に、第２のねじ穴６０ｂと第１のねじ穴６０ａとの軸回り方向の位置をおおよそ一致させておくことが好ましい。この状態で、第２のねじ穴６０ｂと第１のねじ穴６０ａとにねじ６５を螺着して、先端部本体３６を延出部５０に対して位置決めし、仮止めする。
【００２７】
ここで、第１のねじ穴６０ａと舌延部５８の先端部との間の距離Ｄ１は、第２のねじ穴６０ｂと溝部６２の先端側面との間の距離Ｄ２よりも小さく、第２のねじ穴６０ｂと溝部６２の後端側面との間の距離Ｄ３よりも大きくなっている。このため、舌延部５８の先端部は先端部本体３６の溝部６２の外側に配置される。そして、舌延部５８の先端面及び側端面の先端部と溝部６２との間には、湾曲部２０と先端部本体３６とを分解するための治具を差し込むための差込部６４が形成される。
【００２８】
一方、舌延部５８の後端側は、先端部本体３６の後端部３６ｂと重なって配置される。この状態で、第１のねじ穴６０ａを有する舌延部５８以外の舌延部５８について、各舌延部５８の後端側と先端部本体３６の後端部３６ｂとを順に溶接して固定する。例えば、レーザーを用いたスポット溶接により、貫通溶接７０ａを行う。
【００２９】
以下、湾曲部２０と先端部本体３６との分解方法を説明する。図２を参照し、撮像ユニット４０、伝送ケーブル、チャンネル４２といった挿入部１６の内蔵物が故障した場合には、湾曲部２０と先端部本体３６とを分解して内蔵物の交換等の修理を行う。湾曲部２０と先端部本体３６とを分解する際には、まず、先端部本体３６に被覆されている外皮５２を除去する。そして、図６を参照し、各舌延部５８について、舌延部５８の先端面及び側端面の先端部と溝部６２との間に形成されている差込部６４に治具を差込み、舌延部５８と先端部本体３６の外周面との溶接部を順に破壊する。本実施形態では、マイナスドライバーを差込部６４に差込み、溝部６２の底面を支点として舌延部５８の先端部をてこの原理により外側へと押圧して変形させ、溶接部を引き剥がす。あるいは、マイナスドライバーをその断面の長手方向が舌延部５８にほぼ平行となるように差込部６４に差込み、マイナスドライバーを回転操作することにより、舌延部５８の先端部を外側へと押圧して変形させてもよい。なお、溝部６２に充填した接着剤は軟性であるので、治具を挿入する際に妨げとならない。
【００３０】
従って、本実施形態の内視鏡１４は次の効果を奏する。第１の湾曲コマ４４ａの延出部５０を先端部本体３６の外周面に配置して溶接することにより、湾曲部２０と先端部本体３６とを固定している。このため、湾曲部２０と先端部本体３６との固定強度が強くなっていると共に、耐性も高くなっており、繰り返しの使用や高圧蒸気を用いるオートクレーブ滅菌等による劣化が少なくなっている。また、湾曲部２０と先端部本体３６を固定するために新たな部材を用いていないため、新たな部材によって内視鏡１４の径が太くなることが防止されており、内視鏡１４を細径にすることが可能となっている。そして、舌延部５８の端面と先端部本体３６の外周面との間に形成されている差込部６４に治具を差込み、舌延部５８と先端部本体３６との溶接部を破壊することにより、湾曲部２０と先端部本体３６とを分解することが可能となっている。このような分解方法を採用することにより、分解に際して大きな力が必要なく、湾曲部２０又は先端部本体３６の破損が防止される。
【００３１】
さらに、先端部本体３６の外周面には溝部６２が形成されており、舌延部５８の端面と溝部６２との間に差込部６４が形成されている。このため、舌延部５８を先端部本体３６の外周面にそのまま配置する場合よりも、溝部６２の深さの分だけ差込部６４の面積が大きくなっている。従って、差込部６４に治具を差し込むことが容易になっており、湾曲部２０と先端部本体３６との分解作業の作業性が向上されている。
【００３２】
加えて、第１の湾曲コマ４４ａの先端側には複数のスリット５６が形成されており、これらスリット５６間に複数の舌延部５８が形成されている。そして、各舌延部５８が先端部本体３６に溶接により固定されており、湾曲部２０から先端部本体３６を分解する際には、各舌延部５８についてその先端側を先端部本体３６に対して外側へと押圧して変形させ、溶接部を順に破壊している。舌延部３６は外側へと変形されやすいため、各溶接部を小さな力で容易に破壊することが可能となっている。従って、湾曲部２０から先端部本体３６を分解する際の破損が一層防止されていると共に、分解作業の作業性が一層向上されている。
【００３３】
本実施形態では、１つの舌延部５８に第１のねじ穴６０ａが形成されているが、２つ以上の舌延部５８に第１のねじ穴６０ａを形成してもよい。この場合には、先端部本体３６に、第１のねじ穴６０ａに対応する配置で複数の第２のねじ穴６０ｂを形成する。例えば、第１の湾曲コマ４４ａの中心軸について対称な位置にある２つの舌延部５８に第１のねじ穴６０ａを夫々形成し、先端部本体３６についても先端部本体３６の中心軸について対称な位置に第２のねじ穴６０ｂを夫々形成してもよい。
【００３４】
また、本実施形態では、第１の湾曲コマ４４ａ及び先端部本体３６にねじ穴を形成し、ねじ６５によって位置決め、仮止めを行っている。第１の湾曲コマ４４ａや先端部本体３６にスペースの余裕がない場合には、ねじ穴を形成せず、ねじ６５に代わって治具によって位置決め、仮止めを行うことも可能である。
【００３５】
図７乃至図９は、本発明の第２実施形態を示す。第１実施形態と同様な機能を有する構成には、同一の参照符号を付して説明を省略する。図７に示されるように、本実施形態の第１の湾曲コマ４４ａの構成は第１実施形態とほぼ同様である。但し、第１の湾曲コマ４４ａにおいて、第１のねじ穴６０ａは舌延部５８よりも後方に形成されている。なお、第１のねじ穴６０ａと舌延部５８の先端部との間の軸方向の距離をＤ４とする。また、図８に示されるように、本実施形態の先端部本体３６の構成は第１実施形態とほぼ同様である。なお、先端部本体３６の第２のねじ穴６０ｂと溝部６２の先端側面との間の軸方向の距離をＤ５とする。
【００３６】
図９を参照し、第１のねじ穴６０ａと舌延部５８の先端部との間の軸方向の距離Ｄ４は、先端部本体３６の第２のねじ穴６０ｂと溝部６２の先端側面との間の軸方向の距離Ｄ５よりも大きくなっている（Ｄ４＞Ｄ５）。このため、先端部本体３６の第２のねじ穴６０ｂを延出部５０の第１のねじ穴６０ａにアラインメントした場合には、舌延部５８の先端部は溝部６２を越えて先端部本体３６の先端側３６ａに配置される。そして、舌延部５８の中央部は溝部６２の外側に配置され、舌延部５８の側端面の中央部と溝部６２との間に差込部６４が形成される。
【００３７】
この状態で、各舌延部５８の先端部と先端部本体３６の先端側３６ａとを順に溶接して固定する。第１実施形態と同様、例えば、レーザーによるスポット溶接を用いるが、貫通溶接７０ａの他、舌延部５８の先端部と先端部本体３６の外周面とに渡って隅肉溶接７０ｂを行ってもよい。湾曲部２０と先端部本体３６とを分解する際には、舌延部５８の側端面の中央部と溝部６２との間に形成されている差込部６４にマイナスドライバー等を差込んで、舌延部５８の中央部を外側へと押圧して変形させ、舌延部５８の先端部の溶接部を引き剥がす。
【００３８】
従って、本実施形態の内視鏡１４は第１実施形態の内視鏡１４と同様の効果を奏する。
【００３９】
図１０乃至図１３は、本発明の第３実施形態を示す。第１実施形態と同様な機能を有する構成には、同一の参照符号を付して説明を省略する。図１１に示されるように、本実施形態の第１の湾曲コマ４４ａの構成は第１実施形態とほぼ同様である。但し、第１の湾曲コマ４４ａの延出部５０にはスリット５６（図４、図７参照）は形成されておらず、従って舌延部５８（図４、図７参照）も形成されていない。なお、第１のねじ穴６０ａと延出部５０の先端部との間の軸方向の距離をＤ６とする。
【００４０】
図１２に示されるように、本実施形態の先端部本体３６の構成は第１実施形態とほぼ同様である。但し、溝部６２の先端側において、突起部７２が周方向の全体にわたって溝部６２に並設されている。この突起部７２の後端部には先端部本体３６の中心軸にほぼ直交する後端面が形成されており、突起部７２の先端側には先端部本体３６の外周面へと滑らかに接続されているテーパが形成されている。なお、先端部本体３６の後端部３６ｂの第２のねじ穴６０ｂと溝部６２の先端側面との間の軸方向の距離をＤ７とし、第２のねじ穴６０ｂと溝部６２の後端側面との間の軸方向の距離をＤ８とする。
【００４１】
図１３を参照し、第１実施形態と同様に、第１のねじ穴６０ａと延出部５０の先端部との間の距離Ｄ６は、第２のねじ穴６０ｂと溝部６２の先端側面との間の距離Ｄ７よりも小さく、第２のねじ穴６０ｂと溝部６２の後端側面との間の距離Ｄ８よりも大きくなっている（Ｄ８＜Ｄ６＜Ｄ７）。
【００４２】
このため、先端部本体３６の第２のねじ穴６０ｂを延出部５０の第１のねじ穴６０ａにアラインメントした場合には、延出部５０の先端部は先端部本体３６の溝部６２の外側に配置される。そして、延出部５０の先端面と溝部６２との間に差込部６４が形成される。この状態で、延出部５０と先端部本体３６の後端部３６ｂとを溶接して固定する。第１実施形態と同様、例えば、レーザーを用いたスポット溶接によって、複数箇所で貫通溶接７０ａを行う。湾曲部２０と先端部本体３６とを分解する際には、延出部５０の先端面と溝部６２との間に形成されている差込部６４にマイナスドライバー等を差込んで、延出部５０の先端部を外側へと押圧して変形させ、各溶接部を順に引き剥がす。
【００４３】
従って、本実施形態の内視鏡１４は次の効果を奏する。本実施形態の第１の湾曲コマ４４ａの延出部５０にはスリット５６が形成されていない。このため、第１の湾曲コマ４４ａの構成が簡単になっており、安価に製造することが可能となっている。
【００４４】
また、延出部５０と先端部本体３６の後端部３６ｂとを溶接する際には、スリット５６の位置を避けて舌延部５８の位置を溶接するように注意を払う必要がなく、溶接操作が容易になっている。
【００４５】
上述した全ての実施形態では、第１の湾曲コマの延出部と先端部本体の溝部との間に差込部を形成しているが、溝部を形成せずに、延出部と先端部本体の外周面との間に差込部６４を形成するようにしてもよい。この場合、治具として例えば先端部の肉厚が充分に薄いマイナスドライバーを用いる。
【００４６】
次に、本出願の他の特徴的な技術事項を下記の通り付記する。  
記  
（付記項１）操作部と、前記操作部に接続された挿入部と、前記挿入部の先端側に設けられ、複数の湾曲コマより構成される湾曲可能な湾曲部と、挿入部先端に設けられた先端部本体と、を有する内視鏡装置において、湾曲部の先端に位置する第１湾曲コマの先端側端部には、挿入部軸方向に間隙を有した舌延部を有し、先端部本体と第１湾曲コマの舌延部を、溶接によって固定したことを特徴とする。
【００４７】
（付記項２）先端部本体の外周面に周状溝を有し、第１湾曲コマの舌延部の少なくとも一部は前記先端部本体の周状溝の外周側に位置することで、舌延部の内周方向には先端部本体との隙間を有することを特徴とする付記項１。
【００４８】
（付記項３）修理分解時には舌延部をテコの原理によって変形させることで溶接部を破壊することが可能な請求項１。
【産業上の利用可能性】
【００４９】
本発明は、湾曲部と先端部本体との固定強度が強い一方で、湾曲部から先端部本体を分解する際に破損が防止される、湾曲操作される湾曲部の先端部に先端部本体を接続している細径の内視鏡を提供する。
【図面の簡単な説明】
【００５０】
【図１】本発明の第１実施形態の内視鏡の全体の概略構成を示す斜視図。
【図２】本発明の第１実施形態の内視鏡の挿入部の先端部を示す断面図。
【図３】本発明の第１実施形態の内視鏡の挿入部の先端部を示す拡大断面図。
【図４】本発明の第１実施形態の内視鏡の第１の湾曲コマを示す側面図。
【図５】本発明の第１実施形態の内視鏡の先端部本体及び絶縁部材を示す側面図。
【図６】本発明の第１実施形態の内視鏡の湾曲部と先端部本体との固定方法を説明するための側面図。
【図７】本発明の第２実施形態の内視鏡の第１の湾曲コマを示す側面図。
【図８】本発明の第２実施形態の内視鏡の先端部本体及び絶縁部材を示す側面図。
【図９】本発明の第２実施形態の内視鏡の湾曲部と先端部本体との固定方法を説明するための側面図。
【図１０】本発明の第３実施形態の内視鏡の挿入部の先端部を示す拡大断面図。
【図１１】本発明の第３実施形態の内視鏡の第１の湾曲コマを示す側面図。
【図１２】本発明の第３実施形態の内視鏡の先端部本体及び絶縁部材を示す側面図。
【図１３】本発明の第３実施形態の内視鏡の湾曲部と先端部本体との固定方法を説明するための側面図。
【符号の説明】
【００５１】
１４…内視鏡、２０…湾曲部、３６…先端部本体、４４…湾曲コマ、４４ａ…第１の湾曲コマ、５０…延出部、６４…差込部。
【図１】
2006122327.tif 000003
【図２】
2006122327.tif 000004
【図３】
2006122327.tif 000005
【図４】
2006122327.tif 000006
【図５】
2006122327.tif 000007
【図６】
2006122327.tif 000008
【図７】
2006122327.tif 000009
【図８】
2006122327.tif 000010
【図９】
2006122327.tif 000011
【図１０】
2006122327.tif 000012
【図１１】
2006122327.tif 000013
【図１２】
2006122327.tif 000014
【図１３】
2006122327.tif 000015